(57)【要約】【課題】  次に遊技を行う遊技者にとって邪魔にならず、不快な気分となることなく遊技を開始することができ、さらに、遊技者が遊技の機会を喪失すること、及び、遊技店側の売上を低減させることを防止することが可能な遊技機を提供すること。【解決手段】  筐体の前面に設けられた格納部と、格納部に格納可能であり、物品を載置可能な載置部と、遊技者による操作に応じて載置部を格納部から出現させる又は格納部に格納させる指示を入力する指示入力手段と、載置部を出現させる又は格納させる駆動部と、指示入力手段から入力された指示に応じて、駆動部を駆動させる制御を行う制御手段と、遊技者による操作に応じて遊技に関する操作を入力する遊技操作入力手段とを備え、制御手段は、遊技に関する操作入力を最後に受け付けてからの経過時間が所定期間を経過したときに、載置部が出現している場合には、載置部を格納させる遊技機。【選択図】    図１
2007089805.tif 000002
【特許請求の範囲】
【請求項１】
筐体の前面に設けられた格納部と、
前記格納部に格納可能であり、物品を載置可能な載置部と、
遊技者による操作に応じて前記載置部を前記格納部から出現させる又は前記格納部に格納させる指示を入力する指示入力手段と、
前記載置部を前記格納部から出現させる又は前記格納部に格納させる動作を行う駆動部と、
前記指示入力手段から入力された指示に応じて、前記駆動部を駆動させて前記載置部を前記格納部から出現させる又は前記格納部に格納させる制御を行う制御手段と、
遊技者による操作に応じて遊技に関する操作を入力する遊技操作入力手段と
を備え、
前記制御手段は、前記遊技操作入力手段から遊技に関する操作入力を最後に受け付けてからの経過時間が所定期間を経過したときに、前記載置部が出現している場合には、前記載置部を前記格納部に格納させる制御を行うことを特徴とする遊技機。
【請求項２】
前記載置部に載置された物品を検知する検知手段と、
前記検知手段から出力される検知信号に基づいて前記載置部に物品が載置されているか否かを判断する判断手段と
を備え、
前記制御手段は、前記判断手段が前記載置部に物品が載置されていると判断した場合には、前記載置部を前記格納部に格納させないことを特徴とする請求項１に記載の遊技機。
【請求項３】
前記載置部に載置された物品を検知する検知手段と、
前記検知手段から出力される検知信号に基づいて前記載置部に物品が載置されているか否かを判断する判断手段と、
前記載置部に物品が載置されていることを示す出力信号を外部に出力する出力手段と
を備え、
前記出力手段は、前記遊技操作入力手段から最後に操作入力を受け付けてからの経過時間が所定期間を経過したときに、前記判断手段が前記載置部に物品が載置されていると判断した場合、出力信号を外部に出力することを特徴とする請求項１又は２に記載の遊技機。
【発明の詳細な説明】
【技術分野】
【０００１】
本発明は、例えば、パチスロ遊技装置等の遊技機に関する。
【背景技術】
【０００２】
遊技場に設置されたパチスロ遊技装置で遊技を行う際、遊技者は、喫煙したり、飲物を飲んだりしながら遊技を行う場合が多い。従来、パチスロ遊技装置の前面には、各種操作ボタン、表示器、リールを透視可能な正面パネル、メダル受皿などが配置されている。そのため、パチスロ遊技装置に設置されるカップや缶などを載置する容器ホルダーは、設置場所の制約から、簡易式のものが用いられているが、このような容器ホルダーは、後から備え付けられたものであり格納することができないため、使用しない場合にまで遊技操作の邪魔となり得るといった問題があった。
【０００３】
従来、スロットマシンの本体前面に設けられた引出し式のスロットマシン用容器ホルダーが存在する（例えば、特許文献１参照）。特許文献１に記載のスロットマシン用容器ホルダーであれば、飲物の容器を載置する場合には引き出して使用し、使用しない場合には格納することができる。
【０００４】
【特許文献１】特開２００２−１６６０３９号公報
【発明の開示】
【発明が解決しようとする課題】
【０００５】
しかしながら、特許文献１に記載のスロットマシン用容器ホルダーでは、遊技を終了し、席を立つ際にホルダーを格納しない遊技者も多く、次に遊技を行う遊技者にとって邪魔になるといった問題がある。また、他人が使用した後のホルダーを格納してから遊技を行う場合、これから遊技を始めようとする遊技者にとっては、他人の後始末をさせられているような気分となってしまうといった問題がある。さらに、ホルダーが格納されていない場合には、当該スロットマシンが空席であるのにも関わらず、席が確保されていると勘違いしてしまい、遊技者の遊技の機会を奪うとともに、遊技店側の売上を低減させる可能性があるといった問題がある。
【０００６】
本発明は、上述した課題に鑑みてなされたものであり、その目的は、次に遊技を行う遊技者にとって邪魔にならず、不快な気分となることなく遊技を開始することができ、さらに、遊技者が遊技の機会を喪失すること、及び、遊技店側の売上を低減させることを防止することが可能な遊技機を提供することにある。
【課題を解決するための手段】
【０００７】
以上のような目的を達成するために、本発明は、以下のようなものを提供する。
（１）  筐体の前面に設けられた格納部と、
上記格納部に格納可能であり、物品を載置可能な載置部と、
遊技者による操作に応じて上記載置部を上記格納部から出現させる又は上記格納部に格納させる指示を入力する指示入力手段と、
上記載置部を上記格納部から出現させる又は上記格納部に格納させる動作を行う駆動部と、
上記指示入力手段から入力された指示に応じて、上記駆動部を駆動させて上記載置部を上記格納部から出現させる又は上記格納部に格納させる制御を行う制御手段と、
遊技者による操作に応じて遊技に関する操作を入力する遊技操作入力手段と
を備え、
上記制御手段は、上記遊技操作入力手段から遊技に関する操作入力を最後に受け付けてからの経過時間が所定期間を経過したときに、上記載置部が出現している場合には、上記載置部を上記格納部に格納させる制御を行うことを特徴とする遊技機。
【０００８】
（１）の発明によれば、指示入力手段を操作すると、載置部を格納部から出現させる又は格納部に格納させることができる。従って、必要に応じて出現させて、物品（例えば、飲物の容器や携帯電話機等）を載置することができる。
また、遊技操作入力手段（例えば、スタートレバー、停止ボタン、メダルセンサ等）から遊技に関する操作入力を最後に受け付けてからの経過時間が所定期間を経過したときに、載置部が出現している場合には、載置部を格納部に格納させる。このように、遊技が所定期間行われておらず、遊技が終了したと判断され得る場合に載置部を格納部に格納させるため、次に遊技を行う遊技者にとって邪魔にならない。また、前の遊技者が載置部を格納していなくとも、所定期間を経過すると格納され、次に遊技を始めようとする遊技者が格納する必要はないため、他人の後始末をさせられているような気分となってしまうこともない。
さらに、所定期間を経過すると載置部が格納されるため、席が確保されていると勘違いすることを防止し、遊技者が遊技の機会を喪失すること、及び、遊技店側の売上を低減させることを防止することができる。
【０００９】
さらに、本発明は、以下のようなものを提供する。
（２）  上記（１）の遊技機であって、
上記載置部に載置された物品を検知する検知手段と、
上記検知手段から出力される検知信号に基づいて上記載置部に物品が載置されているか否かを判断する判断手段と
を備え、
上記制御手段は、上記判断手段が上記載置部に物品が載置されていると判断した場合には、上記載置部を上記格納部に格納させないことを特徴とする。
【００１０】
（２）の発明によれば、検知手段から出力される検知信号に基づいて載置部に物品が載置されていると判断した場合には、載置部を格納部に格納させない。従って、誤って格納する指示を入力してしまった場合、載置部が格納されて物品が載置部から落下することを防止することができる。また、所定期間が経過した場合であっても、載置部に物品が載置されていれば載置部を格納しないので、飲み残しの飲物等が載置部に放置されていても、載置部から落下したりこぼれたりすることを防止することができる。
【００１１】
さらに、本発明は、以下のようなものを提供する。
（３）  上記（１）又は（２）の遊技機であって、
前記載置部に載置された物品を検知する検知手段と、
前記検知手段から出力される検知信号に基づいて前記載置部に物品が載置されているか否かを判断する判断手段と、
前記載置部に物品が載置されていることを示す出力信号を外部に出力する出力手段と
を備え、
前記出力手段は、前記遊技操作入力手段から最後に操作入力を受け付けてからの経過時間が所定期間を経過したときに、前記判断手段が前記載置部に物品が載置されていると判断した場合、出力信号を外部に出力することを特徴とする。
【００１２】
（３）の発明によれば、最後に遊技操作入力を受け付けてからの経過時間が所定期間を経過したときに、載置部に物品が載置されていると判断した場合、載置部に物品が載置されていることを示す出力信号を外部（例えば、遊技店に備えられている管理装置）に出力する。このように、外部に出力された出力信号により、例えば、遊技店は、当該遊技機が空席である可能性が高いことを知ることができ、物品を撤去する等、清掃して次の遊技者が遊技を行うことが可能なように整備することができる。
【発明の効果】
【００１３】
本発明によれば、次に遊技を行う遊技者にとって邪魔にならず、不快な気分となることなく遊技を開始することができ、さらに、遊技者が遊技の機会を喪失すること、及び、遊技店側の売上を低減させることを防止することが可能な物品の載置部を備えた遊技機を提供することができる。
【発明を実施するための最良の形態】
【００１４】
本発明に係る実施形態について図面を用いて説明する。以下においては、本発明の好適な実施形態として、本発明をパチスロ遊技装置に適用した場合について説明することとする。
【００１５】
図１は、本実施形態に係るパチスロ遊技装置の一例を模式的に示す斜視図である。
このパチスロ遊技装置１は、コイン、メダル又はトークン等の他、遊技者に付与されたか、若しくは、付与される遊技価値の情報を記憶したカード等の遊技媒体を用いて遊技を行うことが可能な遊技機であるが、以下においては、メダルを用いるものとして説明することとする。
【００１６】
パチスロ遊技装置１の全体を形成している筐体２の正面には、液晶表示装置５が設置されている。この液晶表示装置５は、透明液晶パネル３４（図示せず）を備えており、この透明液晶パネル３４は、その一部又は全部を透明／非透明の状態に切り替えることが可能であるとともに、遊技に関する演出画像を表示可能である。
【００１７】
また、液晶表示装置５の背面側には、３個の回転リール３Ｌ、３Ｃ、３Ｒが設けられている。３個の回転リール３Ｌ、３Ｃ、３Ｒは、それぞれその外周面に複数の図柄等の識別情報が表示されており、回転可能に横一列に設けられている。
【００１８】
液晶表示装置５の下方には、水平面を有する台座部１０が形成されており、台座部１０の右側には、メダル投入口２２が設けられ、台座部１０の左側には、１−ＢＥＴスイッチ１１及び最大ＢＥＴスイッチ１３が設けられている。
【００１９】
台座部１０の前面部の左寄りには、遊技者が遊技で獲得したメダルのクレジット／払い出しを押し操作により切り替える貯留メダル精算スイッチ１４が設けられている。
この貯留メダル精算スイッチ１４の切り替えにより「払い出し」が選択された場合には、正面下部のメダル払出口１５からメダルが払い出され、払い出されたメダルはメダル受部１６に溜められる。一方、「クレジット」が選択された場合には、パチスロ遊技装置１が備えるメモリ（例えば、後述するＲＡＭ４３等）にメダル数がクレジットとして記憶される。
【００２０】
貯留メダル精算スイッチ１４の右側には、遊技者の操作により回転リール３Ｌ、３Ｃ、３Ｒを回転させるためのスタートレバー６が所定の角度範囲で回動自在に取り付けられている。スタートレバー６は、遊技者による操作に応じて遊技に関する操作を入力する遊技操作入力手段として機能するものである。台座部１０の前面部中央には、３個の回転リール３Ｌ、３Ｒ、３Ｃの回転をそれぞれ停止させるための３個の停止ボタン７Ｌ、７Ｃ、７Ｒが設けられている。
【００２１】
台座部１０の前面部の右寄りには、決定ボタン２６及び取消ボタン２７が設けられている。この決定ボタン２６及び取消ボタン２７を操作することにより、筐体２の下方左側の格納部９１に格納されているジュースホルダ９２の開閉（出現又は格納）に関する指示等の入力を行うことができる。ジュースホルダ９２は、本発明における載置部に相当するものである。
【００２２】
台座部１０の前面部の右寄りには、さらに、ドア開閉及び打ち止め解除装置２９が設けられており、所定の鍵をこのドア開閉及び打ち止め解除装置２９の鍵穴に差し込み、右に回すことにより前面ドアの開閉を行い、左に回すことにより打ち止め解除を行う。
【００２３】
筐体２の上方の左右には、スピーカ２１Ｌ、２１Ｒが設けられ、その２台のスピーカ２１Ｌ、２１Ｒの間には、入賞図柄の組合せ及びメダルの配当枚数等を示す配当表パネル２３が設けられている。
【００２４】
図２は、図１に示したパチスロ遊技装置が備えるジュースホルダの一例を模式的に示す斜視図である。
図２（ａ）に示すように、ジュースホルダ９２は、ジュース等の飲物のカップ９９を固定する中空円柱状の保持部９４を備えている。保持部９４の底面には、検知スイッチ９３が備えられており（図２（ｂ）参照）、カップ９９が保持部９４に固定されるように載置されると、カップ９９の底面により検知スイッチ９３が押し下げられ、これによりカップ９９が検出される。
【００２５】
本実施形態では、カップ９９を載置可能なジュースホルダ９２が備えられている場合について説明するが、本発明における載置部は、ジュースホルダ９２に限らず、例えば、携帯電話機等の物品が載置可能であれば、特に限定されない。
【００２６】
図３は、図１に示したパチスロ遊技装置が備える液晶表示装置近傍を示す拡大正面図である。
図３に示すように、液晶表示装置５の背面側には、各々の外周面に複数の識別情報である図柄が描かれた３個の回転リール３（３Ｌ、３Ｃ、３Ｒ）が回転可能に横一列に設けられている。
【００２７】
液晶表示装置５は、正面パネル３１と、正面パネル３１の裏面に設けられた透明液晶パネル３４（図示せず）とを備えている。正面パネル３１は、透明な表示窓３１ａと、絵柄が描かれた絵柄形成領域３１ｂとからなり、正面パネル３１の裏面に設けられた透明液晶パネル３４に表示される画面画像は、正面パネル３１の表示窓３１ａを介して視認可能である。
【００２８】
液晶表示装置５の左側の背面側には、遊技開始表示ランプ２５、ＷＩＮランプ１７、メダル投入ランプ２４、最大ＢＥＴランプ９ｃ、２−ＢＥＴランプ９ｂ及び１−ＢＥＴランプ９ａの各種ランプと、払出枚数表示部１８、メダル貯留枚数表示部１９及び役物作動回数表示部２０の各種表示部とが設けられている。なお、正面パネル３１の絵柄形成領域３１ｂは、上述した各種ランプと各種表示部との前方部分が透明であり、各種ランプと各種表示部とを視認可能となっている。
【００２９】
１−ＢＥＴランプ９ａ、２−ＢＥＴランプ９ｂ、最大ＢＥＴランプ９ｃは、一のゲームを行うために賭けられたメダルの数（以下、ＢＥＴ数ともいう）に応じて点灯する。一のゲームは、全ての回転リールが停止したとき、又は、メダルの払い出しが行われる場合には、メダルが払い出されたときに終了する。
【００３０】
ＷＩＮランプ１７は、ＢＢ（ビッグボーナス）又はＲＢ（レギュラーボーナス）に内部当籤した場合に所定確率で点灯し、また、ＢＢ又はＲＢの入賞が成立した場合にも点灯する。遊技メダル投入ランプ２４は、メダルの投入が受け付け可能であるときに点滅する。遊技開始表示ランプ２５は、少なくとも１本のラインが有効化されたときに点灯する。
【００３１】
払出枚数表示部１８は、入賞成立時のメダルの払出枚数を表示するものであり、メダル貯留枚数表示部１９は、貯留されているメダルの枚数を表示するものであり、役物作動回数表示部２０は、ＲＢゲーム可能回数及びＲＢゲーム入賞可能回数等を表示する。これらの表示部は、７セグメント表示器からなるものである。
【００３２】
図４は、図１に示したパチスロ遊技装置が備える液晶表示装置の概略構成を示す斜視図である。図５は、図４に示した液晶表示装置の一部の構成の展開図である。
液晶表示装置５は、保護ガラス３２と表示板３３とからなる正面パネル３１、透明液晶パネル３４、導光板３５、反射フィルム３６、所謂白色光源である蛍光ランプ３７ａ、３７ｂ、３８ａ、３８ｂ、ランプホルダ３９ａ〜３９ｈ、及び、透明液晶パネル駆動用のＩＣを搭載したテーブルキャリアパッケージ（ＴＣＰ）からなり、ＴＣＰは、透明液晶パネル３４の端子部に接続したフレキシブル基板（図示せず）等により構成される。
【００３３】
この液晶表示装置５は、回転リール３Ｌ、３Ｃ、３Ｒにより手前側に設けられている。また、この回転リール３Ｌ、３Ｃ、３Ｒと液晶表示装置５とは、所定の間隔をあけて設けられている。
【００３４】
保護ガラス３２及び表示板３３は、透明な部材で構成されている。表示板３３には、ＢＥＴランプ９ａ〜９ｃに対応する位置等に絵柄等が形成されている。すなわち、表示板３３の絵柄等が形成されている領域が、正面パネル３１における絵柄形成領域３１ｂであり、表示板３３の絵柄等が形成されていない領域が、正面パネル３１における表示窓３１ａである（図３参照）。なお、正面パネル３１に絵柄形成領域３１ｂを形成せず、正面パネル３１の全面を表示窓３１ａとしてもよい。この場合、表示板３３に絵柄を形成しないか、又は、表示板３３を省略すればよい。
なお、表示板３３の裏面側に配置される各種ランプ及び各種表示部を動作させる電気回路等は図示していない。
【００３５】
透明液晶パネル３４は、薄膜トランジスタ層が形成されたガラス板等の透明な基板と、これに対向する透明な基板との間隙部に液晶が封入されて形成されている。
この透明液晶パネル３４の表示モードは、ノーマリーホワイトに設定されている。ノーマリーホワイトとは、液晶を駆動していない状態で白表示（表示面側に透過した光が外部より視認可能である）となる構成である。ノーマリーホワイトに構成された透明液晶パネル３４を採用することにより、液晶を駆動することができない事態が生じた場合であっても、回転リール３Ｌ、３Ｃ、３Ｒに表示された図柄等の識別情報の可変表示及び停止表示を視認することができ、遊技を継続することができる。すなわち、そのような事態が発生した場合でも、回転リール３Ｌ、３Ｃ、３Ｒに表示された識別情報の変動表示態様及び停止表示態様を中心とした遊技を行うことができる。
【００３６】
導光板３５は、蛍光ランプ３７ａ、３７ｂからの光を透明液晶パネル３４へ導き出す（透明液晶パネル３４を照明する）ためのものであり、透明液晶パネル３４の裏側に設けられ、例えば、２ｃｍ程度の厚さを有するアクリル系樹脂等の透明部材（導光機能を有する）で構成されている。
【００３７】
反射フィルム３６は、例えば、白色のポリエステルフィルムやアルミ薄膜に銀蒸着膜を形成したものが用いられ、導光板３５に導入された光を導光板３５の正面側へ向けて反射させる。この反射フィルム３６は、反射領域３６Ａ及び非反射領域（透過領域）３６Ｂにより構成されている。
【００３８】
蛍光ランプ３７ａ、３７ｂは、導光板３５の上端部及び下端部に沿って配置され、両端はランプホルダ３９（図４参照）により支持されている。この蛍光ランプ３７ａ、３７ｂから照射される光は、反射フィルム３６の反射領域３６Ａで反射して透明液晶パネル３４を照明する。
【００３９】
蛍光ランプ３８ａ、３８ｂは、反射フィルム３６の裏側の上方位置及び下方位置に回転リール３Ｌ、３Ｃ、３Ｒに向かって配置されている。この蛍光ランプ３８ａ、３８ｂから出て回転リール３Ｌ、３Ｃ、３Ｒの表面で反射して非反射領域３６Ｂへ入射した光は、透明液晶パネル３４を照明する。
【００４０】
このように、液晶表示装置５においては、蛍光ランプ３７ａ、３７ｂから照射され、反射フィルム３６の反射領域３６Ａで反射した光と、蛍光ランプ３８ａ、３８ｂから照射され、回転リール３Ｌ、３Ｃ、３Ｒの表面で反射して非反射領域３６Ｂへ入射した光とが、透明液晶パネル３４を照明するのである。
従って、反射フィルム３６の非反射領域３６Ｂに対応する液晶表示装置５の領域は、液晶を駆動しているか否かによって、透明／非透明の状態に切り替わる領域であり、反射フィルム３６の反射領域３６Ａに対応する液晶表示装置の領域は、液晶を駆動しているか否かに拘わらず非透明状態となる。
【００４１】
パチスロ遊技装置１では、液晶表示装置の一部の領域のみが、透明／非透明の状態に切り替わる領域であるが、本発明の遊技機において、液晶表示装置の表示画面は、その全領域が透明／非透明の状態に切り替わる領域であってもよい。この場合、パチスロ遊技装置１において、液晶表示装置５の全領域を透過状態又は非透過状態に切り替わる領域とする場合、反射フィルム３６を全て非反射領域３６Ｂとするか、反射フィルム３６を省略すればよい。
【００４２】
図６は、図１に示したパチスロ遊技装置の内部構成を示すブロック図である。
主制御回路８１は、回路基板上に配置されたマイクロコンピュータ４０を主たる構成要素とするものである。マイクロコンピュータ４０は、予め設定されたプログラムに従って制御動作を行うＣＰＵ４１と、ＲＯＭ４２及びＲＡＭ４３とを含む。ＣＰＵ４１には、基準クロックパルスを設定するクロックパルス発生回路１４４及び分周器１４５と、サンプリングされる乱数を発生する乱数発生器１４６及びサンプリング回路１４７とが接続されている。なお、乱数サンプリングのための手段として、ＣＰＵ４１の動作プログラム上で乱数のサンプリングを実行するように構成してもよい。
【００４３】
ＲＯＭ４２には、副制御回路８２へ送信するための各種制御指令（コマンド）等が格納されている。当該コマンドとしては、例えば、液晶表示装置５に対する表示制御に関するコマンド等が格納されている。
【００４４】
液晶表示装置５に対する表示制御に関するコマンドとしては、例えば、演出開始コマンド、終了演出コマンド等を挙げることができる。
演出開始コマンドは、３つの回転リール３の回転開始時に液晶表示装置５に演出画像を表示させるためのコマンドである。終了演出コマンドは、３つの回転リール３が全て停止した際に液晶表示装置５に演出画像を表示させるためのコマンドである。
また、ＲＢ、ＢＢの設定又は解除に関するコマンドも、ＲＯＭ４２に格納されており、当該コマンドによってＲＢ又はＢＢの設定又は解除が副制御回路８２に通知される。なお、ＲＢ、ＢＢの設定又は解除に関するコマンドにかえて、液晶表示装置５に対する表示制御に関する各種のコマンドに、ＲＢ又はＢＢの実行中であることを示すデータを含めることとしてもよい。
【００４５】
上述したような各種のコマンドは、所定条件の成立を契機としてＣＰＵ４１によってＲＯＭ４２から呼び出されてＲＡＭ４３にセットされる。そして、ＲＡＭ４３にセットされたコマンドは所定のタイミングで副制御回路８２に供給される。副制御回路８２は、供給されたコマンドに基づいて各種の処理を実行する。なお、副制御回路８２が主制御回路８１へコマンド等が入力されることはなく、主制御回路８１から副制御回路８２への一方向で通信が行われる。
【００４６】
また、ＲＯＭ４２には、回転リール３Ｌ、３Ｃ、３Ｒの回転位置と回転リール外周面上に描かれた図柄とを対応付けるために、図柄テーブルが格納されており、また、入賞となる図柄の組合せと、入賞のメダル配当枚数と、その入賞を表す入賞判定コードとが対応付けられた入賞図柄組合せテーブルや、内部当籤役を決定する抽籤を行うために必要な抽籤確率テーブル等が格納される。
【００４７】
ＲＡＭ４３には、上述したコマンド以外に、例えば、メダルの数に相当するクレジット数、設定値等、遊技進行に係る変数やフラグ等が格納される。
【００４８】
マイクロコンピュータ４０からの制御信号により動作が制御される主要な周辺装置（アクチュエータ）としては、各種ランプ（１−ＢＥＴランプ９ａ、２−ＢＥＴランプ９ｂ、最大ＢＥＴランプ９ｃ、ＷＩＮランプ１７、遊技メダル投入ランプ２４、遊技開始表示ランプ２５）と、各種表示部（払出枚数表示部１８、メダル貯留枚数表示部１９、役物作動回数表示部２０）と、メダルを収納し、ホッパー駆動回路５１の命令により所定枚数のメダルの払い出しを行うホッパー（払い出しのための駆動部を含む）５０と、回転リール３Ｌ、３Ｃ、３Ｒを回転駆動するステッピングモータ５９Ｌ、５９Ｃ、５９Ｒとがある。
【００４９】
さらに、ステッピングモータ５９Ｌ、５９Ｃ、５９Ｒを駆動制御するモータ駆動回路４９、ホッパー５０を駆動制御するホッパー駆動回路５１、各種ランプを駆動制御するランプ駆動回路５５、及び、各種表示部を駆動制御する表示部駆動回路５８が、Ｉ／Ｏポート４８を介してＣＰＵ４１の出力部に接続されている。これらの駆動回路は、それぞれＣＰＵ４１から出力される駆動指令等の制御信号を受けて、各アクチュエータの動作を制御する。
【００５０】
また、マイクロコンピュータ４０が制御指令を発生するために必要な入力信号を発生させる主な入力信号発生装置としては、スタートスイッチ６Ｓ、１−ＢＥＴスイッチ１１、最大ＢＥＴスイッチ１３、貯留メダル精算スイッチ１４、投入メダルセンサ２２Ｓ、リセットスイッチ６２、設定用鍵型スイッチ６３、リール停止信号回路５６、リール位置検出回路６０、払い出し完了信号回路６１がある。これらもＩ／Ｏポート４８を介してＣＰＵ４１に接続されている。
【００５１】
スタートスイッチ６Ｓは、スタートレバー６の操作を検出する。投入メダルセンサ２２Ｓは、メダル投入口２２に投入されたメダルを検出する。リール停止信号回路５６は、各停止ボタン７Ｌ、７Ｃ、７Ｒの操作に応じて停止信号を発生する。
【００５２】
リール位置検出回路６０は、リール回転センサからのパルス信号を受けて各回転リール３Ｌ、３Ｃ、３Ｒの位置を検出するための信号をＣＰＵ４１に送信する。
払出完了信号回路６１は、メダル検出部５０Ｓの計数値（ホッパー５０から払い出されたメダルの枚数）が指定された枚数に達したとき、メダル払出完了信号を発生する。ＣＰＵ４１がこのメダル払出完了信号を受信すると、ホッパー駆動回路５１を介してホッパー５０の駆動を停止し、メダルの払出を完了させる。このメダル検出部５０Ｓは、ホッパー５０から払い出されるメダルを検出するための物理センサ等からなるメダルセンサを備えており、このメダルセンサにより払い出されるメダルの枚数の計数を行うことができる。
【００５３】
図６に示した回路において、乱数発生器１４６は、一定の数値範囲に属する乱数を発生し、サンプリング回路１４７は、スタートレバー６が操作された後の適宜のタイミングで１個の乱数をサンプリングする。こうしてサンプリングされた乱数及びＲＯＭ４２内に格納されている確率抽籤テーブルに基づいて、内部当籤役が決定される。内部当籤役が決定された後、「停止制御テーブル」を選択するために再び乱数のサンプリングが行われる。
【００５４】
回転リール３Ｌ、３Ｃ、３Ｒの回転が開始された後、ステッピングモータ５９Ｌ、５９Ｃ、５９Ｒの各々に供給される駆動パルスの数が計数され、その計数値はＲＡＭ４３の所定エリアに書き込まれる。回転リール３Ｌ、３Ｃ、３Ｒからは一回転毎にリセットパルスが得られ、これらのパルスはリール位置検出回路６０を介してＣＰＵ４１に入力される。こうして得られたリセットパルスにより、ＲＡＭ４３で計数されている駆動パルスの計数値が“０”にクリアされる。これにより、ＲＡＭ４３内には、各回転リール３Ｌ、３Ｃ、３Ｒについて一回転の範囲内における回転位置に対応した計数値が格納される。
【００５５】
上記のような回転リール３Ｌ、３Ｃ、３Ｒの回転位置と回転リール外周面上に描かれた図柄とを対応づけるために、図柄テーブルが、ＲＯＭ４２内に格納されている。この図柄テーブルでは、前述したリセットパルスが発生する回転位置を基準として、各回転リール３Ｌ、３Ｃ、３Ｒの一定の回転ピッチ毎に順次付与されるコードナンバーと、それぞれのコードナンバー毎に対応して設けられた図柄を示す図柄コードとが対応づけられている。
【００５６】
更に、ＲＯＭ４２内には、入賞図柄組合せテーブルが格納されている。この入賞図柄組合せテーブルでは、入賞となる図柄の組合せと、入賞のメダル配当枚数と、その入賞を表す入賞判定コードとが対応づけられている。上記の入賞図柄組合せテーブルは、左の回転リール３Ｌ、中央の回転リール３Ｃ、右の回転リール３Ｒの停止制御時、及び全リール停止後の入賞確認を行うときに参照される。
【００５７】
上記乱数サンプリングに基づく抽籤処理（確率抽籤処理）により内部当籤した場合には、ＣＰＵ４１は、遊技者が停止ボタン７Ｌ、７Ｃ、７Ｒを操作したタイミングでリール停止信号回路５６から送られる操作信号、及び、選択された「停止制御テーブル」に基づいて、回転リール３Ｌ、３Ｃ、３Ｒを停止制御する信号をモータ駆動回路４９に送る。
【００５８】
内部当籤した役の入賞成立を示す停止態様となった場合、貯留メダル精算スイッチ１４の切り替えにより「払い出し」が選択されているときには、ＣＰＵ４１は、払い出し指令信号をホッパー駆動回路５１に供給してホッパー５０から所定個数のメダルの払い出しを行う。その際、メダル検出部５０Ｓは、ホッパー５０から払い出されるメダルの枚数を計数し、その計数値が指定された数に達したときに、メダル払い出し完了信号がＣＰＵ４１に入力される。これにより、ＣＰＵ４１は、ホッパー駆動回路５１を介してホッパー５０の駆動を停止し、「メダルの払い出し処理」を終了する。
一方、貯留メダル精算スイッチ１４の切り替えにより「クレジット」が選択されているときには、払い出されるべきメダルの数がクレジットとしてＲＡＭ４３に記憶されることになる。
【００５９】
ＣＰＵ４１を備えた主制御回路８１には、副制御回路８２が接続されている。
副制御回路８２は、主制御回路８１からの制御指令（コマンド）に基づいて、液晶表示装置５の表示制御及びスピーカ２１Ｌ、２１Ｒからの音の出力制御を行う。
【００６０】
図７は、図６に示した副制御回路の構成を示すブロック図である。
尚、本実施形態においては、主制御回路８１から副制御回路８２に対してコマンドを供給するとともに、副制御回路８２から主制御回路８１に対して信号を供給できないように構成したが、これに限らず、副制御回路８２から主制御回路８１に対して信号を送信できるように構成してもよい。
【００６１】
副制御回路８２は、サブＣＰＵ２０６、プログラムＲＯＭ２０８及びワークＲＡＭ２１０を備えている。
【００６２】
また、副制御回路８２は、液晶表示装置５における表示制御を行う表示制御回路２５０と、スピーカ２１から発生させる音に関する制御を行う音声制御回路２３０とを備えている。
【００６３】
サブＣＰＵ２０６は、プログラムＲＯＭ２０８に記憶されたプログラムに従って、各種の処理を実行する機能を有し、ＣＰＵ４１から供給される各種のコマンドに従って、副制御回路８２の制御を行う。特に、サブＣＰＵ２０６は、表示制御回路２５０に対する表示制御やジュースホルダ９２の開閉に関する制御を行う。
【００６４】
プログラムＲＯＭ２０８には、サブＣＰＵ２０６により、液晶表示装置５における遊技演出を制御するためのプログラムが記憶されており、その他には、演出に関する決定を行うためのテーブル等の各種のテーブルも記憶されている。
また、プログラムＲＯＭ２０８には、液晶表示装置５に表示される画面画像に対応した複数種類の演出パターンと、全てのリール３が停止した際に液晶表示装置５に表示される画面画像に対応した複数種類の終了演出パターンとが記憶されている。
【００６５】
また、プログラムＲＯＭ２０８には、所定の計時プログラムが格納されている。サブＣＰＵ２０６は、この計時プログラムに従ってタイマによる計時処理を実行する。
【００６６】
なお、本実施形態においては、プログラム、テーブル等を記憶する記憶媒体としてプログラムＲＯＭ２０８を用いるように構成したが、これに限らず、ＣＰＵ等を備えたコンピュータにより読み取り可能な記憶媒体であれば別態様であってもよく、例えば、ハードディスク装置、ＣＤ−ＲＯＭ及びＤＶＤ−ＲＯＭ、ＲＯＭカートリッジ等の記憶媒体に記録されていてもよい。もちろん、プログラムＲＯＭ２０８に記憶されるものをＲＯＭ４２に記憶することとしてもよい。また、これらのプログラムは、予め記録されているものでなくとも、電源投入後にこれらのプログラムをダウンロードし、ワークＲＡＭ２１０等に記録されるものでもよい。更にまた、プログラムの各々が別々の記憶媒体に記録されていてもよい。
【００６７】
また、本実施形態において、ＣＰＵ４１及びＲＯＭ４２を含む主制御回路８１と、サブＣＰＵ２０６及びプログラムＲＯＭ２０８を含む副制御回路８２とを別々に構成したが、これに限らず、ＣＰＵ４１及びＲＯＭ４２を含む主制御回路８１のみで構成してもよく、この場合には、上述したプログラムＲＯＭ２０８に記憶されているプログラムをＲＯＭ４２に記憶させ、ＣＰＵ４１により実行されるように構成してもよい。もちろん、サブＣＰＵ２０６及びプログラムＲＯＭ２０８を含む副制御回路８２のみで構成するようにしてもよく、この場合には、上述したＲＯＭ４２に記憶されているプログラムをプログラムＲＯＭ２０８に記憶させ、サブＣＰＵ２０６により実行されるように構成してもよい。
【００６８】
ワークＲＡＭ２１０は、サブＣＰＵ２０６の一時記憶領域として種々のフラグや変数の値を記憶する機能を有する。尚、本実施形態においては、サブＣＰＵ２０６の一時記憶領域としてワークＲＡＭ２１０を用いているが、これに限らず、読み書き可能な記憶媒体であればよい。
【００６９】
また、音声制御回路２３０は、音声に関する制御を行う音源ＩＣ２３２、各種の音声データを記憶する音声データＲＯＭ２３４、音声信号を増幅するための増幅器２３６（以下、ＡＭＰと称する。）から構成されている。
【００７０】
この音源ＩＣ２３２は、サブＣＰＵ２０６、音声データＲＯＭ２３４、ＡＭＰ２３６と接続されている。この音源ＩＣ２３２は、スピーカ２１から発生させる音声の制御を行う。
【００７１】
サブＣＰＵ２０６は、ＣＰＵ４１から供給されるコマンドに基づいて、音声データＲＯＭ２３４に記憶されている複数の音声データから一つの音声データを選択する。その後、サブＣＰＵ２０６は、選択された音声データを音声データＲＯＭ２３４から読み出し、音源ＩＣ２３２に供給する。音声データを受け取った音源ＩＣ２３２は、その音声データを所定の音声信号に変換し、その音声信号をＡＭＰ２３６に供給する。ＡＭＰ２３６は、音声信号を増幅させ、スピーカ２１（２１Ｌ及び２１Ｒ）から音声を発生させる。
【００７２】
表示制御回路２５０は、ＣＰＵ４１により決定された遊技結果に応じて、画面画像を生成し、液晶表示装置５に上記画面画像を表示する制御を行うものであり、画像データプロセッサ（以下、ＶＤＰという。）２１２、各種の画像データを記憶する画像データＲＯＭ２１６、画像データを画像信号として変換するＤ／Ａコンバータ２１８から構成されている。ＶＤＰ２１２は、サブＣＰＵ２０６、画像データが記憶されている画像データＲＯＭ２１６、画像データを画像信号に変換するＤ／Ａコンバータ２１８と接続されている。
【００７３】
このＶＤＰ２１２は、いわゆるスプライト回路、スクリーン回路、及びパレット回路等の各種の回路を含み、液晶表示装置５に画面画像を表示させるための種々の処理を行うことができる装置である。つまり、ＶＤＰ２１２は、液晶表示装置５に対する表示制御を行う。また、ＶＤＰ２１２には、液晶表示装置５の透明液晶パネル３４に画面画像を表示するためのバッファとしての記憶媒体（例えば、ビデオＲＡＭ）を備えている。この記憶媒体の所定の記憶領域に画像データを記憶することによって、所定のタイミングで液晶表示装置５の透明液晶パネル３４に画面画像が表示されることとなる。
【００７４】
画像データＲＯＭ２１６には、複数種類の演出画像データが記憶されている。演出画像データには、例えば、背景画像を構成する背景画像データ、キャラクタを示すキャラクタ画像データ等が含まれる。
【００７５】
ＶＤＰ２１２は、サブＣＰＵ２０６から供給される画像表示命令（コマンド）に応じて、画像データＲＯＭ２１６から、演出画像を抽出する。
【００７６】
ＶＤＰ２１２は、画像データＲＯＭ２１６から抽出した各種画像を、後方に位置する画像から順に、例えば、背景画像、キャラクタ画像の順に、重ね合わせてバッファ（例えば、ビデオＲＡＭ等）に記憶することにより画面画像を合成し、所定のタイミングでＤ／Ａコンバータ２１８に供給する。Ｄ／Ａコンバータ２１８は、この画面画像を画像信号として変換し、この画像信号を液晶表示装置５に供給する。
【００７７】
また、副制御回路８２には、インターフェイス回路２４０を介して、決定ボタン２６及び取消ボタン２７が接続されている。決定ボタン２６及び取消ボタン２７は、これらの操作により、ジュースホルダ９２の開閉（出現又は格納）に関する指示等の入力を行うことができる。決定ボタン２６及び取消ボタン２７は、遊技者による操作に応じてジュースホルダ９２を格納部９１から出現させる又は格納部９１に格納させる指示を入力する指示入力手段として機能するものである。
【００７８】
また、副制御回路８２には、検知スイッチ９３、駆動部としてのホルダー駆動装置９６が接続されている。検知スイッチ９３は、押し下げられることによりカップ検知信号を出力する。また、ホルダー駆動装置９６には、モータ（図示せず）が備えられており、このモータが備えるギアとジュースホルダ９２の裏面に形成されたレールの溝（図示せず）とが噛合している。従って、モータが回転することにより、ジュースホルダ９２が格納部９１から出現又は格納部９１に格納される。
【００７９】
サブＣＰＵ２０６は、決定ボタン２６、取消ボタン２７から入力された指示に応じてホルダー駆動装置９６を駆動させて、ジュースホルダ９２の開閉を行う。特に、サブＣＰＵ２０６は、ジュースホルダ９２を格納するとき、検知スイッチ９３からのカップ検知信号に基づいてカップ９９の載置の有無を判断し、載置されている場合には、格納を行わない。
【００８０】
また、サブＣＰＵ２０６は、ジュースホルダ９２を出現させる際、プログラムＲＯＭ２０８から計時プログラムを読み出し、このプログラムに従って計時を開始する。そして、演出開始コマンド（遊技に関するコマンド）を所定期間受信しなかったと判断した場合には、ホルダー駆動装置９６を駆動させ、ジュースホルダ９２を格納する。
演出開始コマンドは、スタートレバー６か操作されると主制御回路８１から副制御回路８２に送信されるコマンドである。従って、サブＣＰＵ２０６は、演出開始コマンドを受信したか否かにより、遊技に関する操作入力を受け付けたか否かを判断することができる。
【００８１】
さらに、サブＣＰＵ２０６は、演出開始コマンド（遊技に関するコマンド）を所定期間受信しなかったと判断し、且つ、カップ９９が載置されていると判断した場合には、ジュースホルダ９２を格納せずに、通信用インターフェイス回路４４を介して外部（例えば、店舗が所有する管理装置等）に出力信号を出力する。
【００８２】
以下においては、パチスロ遊技装置１は起動しており、ＣＰＵ４１において用いられる変数は所定の値に初期化されるとともに、設定値も所定の値に設定された状態で定常動作しているものとする。
【００８３】
図８は、主制御回路において行われる処理のサブルーチンを示すフローチャートである。
このサブルーチンは、予め実行されているメインルーチンから所定のタイミングで呼び出されて実行されるものである。
【００８４】
まず、ＣＰＵ４１は、メダルの自動投入の要求があるか否かを判断する（ステップＳ１２０）。なお、自動投入の要求がある場合とは、先の遊技において再遊技（リプレイ）の入賞が成立した場合である。メダルの自動投入の要求があるときには、投入要求分のメダルを自動投入し（ステップＳ１２２）、副制御回路８２にメダル投入コマンドを送信する（ステップＳ１２３）。
【００８５】
一方、ステップＳ１２０において、メダルの自動投入の要求がないと判断した場合、ＣＰＵ４１は、メダルが投入されたか否かを判断する（ステップＳ１２１）。すなわち、ＣＰＵ４１は、メダル投入口２２にメダルが投入されたことを検知した投入メダルセンサ２２Ｓにより発せられる検知信号を受信したか否か、又は、ＢＥＴスイッチ（１−ＢＥＴスイッチ１１又は最大ＢＥＴスイッチ１３）により発せられる検知信号を受信したか否かを判断することにより、メダルが投入されたか否かを判断する。なお、ＢＥＴスイッチ（１−ＢＥＴスイッチ１１又は最大ＢＥＴスイッチ１３）により発せられる検出信号を受信したと判断した場合、ＣＰＵ４１は、ＲＡＭ４３に記憶されたクレジット数から、ＢＥＴされたメダルの数に相当するクレジット数を減算する処理を行う。
【００８６】
ステップＳ１２１において、メダルが投入されていないと判断した場合、ＣＰＵ４１は、処理をステップＳ１２０に戻す。
また、ステップＳ１２１において、メダルが投入されたと判断した場合、又は、ステップＳ１２３の処理が実行された場合には、ＣＰＵ４１は、スタートレバー６が操作されたか否かを判断する（ステップＳ１２４）。すなわち、ＣＰＵ４１は、スタートスイッチ６Ｓからの入力信号を受信したか否かを判断するのである。
【００８７】
ステップＳ１２４において、スタートレバー６が操作されていないと判断した場合、ＣＰＵ４１は、処理をステップＳ１２０に戻す。一方、ステップＳ１２４において、スタートレバー６が操作されたと判断した場合、ＣＰＵ４１は、各種設定に係る処理を行う（ステップＳ１２５）。この各種設定処理では、スタートレバー６が操作されたタイミングで、乱数発生器１４６から乱数のサンプリングを行い、当該サンプリングされた乱数値と、ＲＡＭ４３に設定されている抽籤確率テーブルとに基づいて内部当籤役（当籤フラグ）を生成する抽籤処理が行われる。また、この各種設定処理では、例えば、ＷＩＮランプ点灯抽籤処理、回転リールを停止させるための停止制御テーブルの選択に係る処理、リール回転用に初期化する処理等を行い、回転リール３（３Ｌ、３Ｃ、３Ｒ）の回転を開始させる。
【００８８】
回転リール３Ｌ、３Ｃ、３Ｒの回転が開始された後、ステッピングモータ５９Ｌ、５９Ｃ、５９Ｒの各々に送信される駆動パルスの数が計数され、その計数値はＲＡＭ４３に記憶される。回転リール３Ｌ、３Ｃ、３Ｒから一回転ごとにリセットパルスが得られ、これらのパルスはリール位置検出回路６０を介してＣＰＵ４１に入力される。こうして得られたリセットパルスにより、ＲＡＭ４３で計数されている駆動パルスに計数値が「０」にクリアされる。このようにすることにより、ＲＡＭ４３内には、各回転リール３Ｌ、３Ｃ、３Ｒについての一回転の範囲内における回転位置に対応した計数値が格納される。
【００８９】
また、回転リール３Ｌ、３Ｃ、３Ｒの回転位置と回転リール外周面上に描かれた図柄とを対応付けるためにＲＯＭ４２に格納された図柄テーブルでは、上述したリセットパルスが発生する回転位置を基準として、各回転リール３Ｌ、３Ｃ、３Ｒの一定の回転ピッチごとに順次付与されるコードナンバーと、それぞれのコードナンバーごとに対応して設けられた図柄を示す図柄コードとが対応付けられている。また、ＲＯＭ４２に格納された入賞図柄組合せテーブルは、各回転リール３Ｌ、３Ｃ、３Ｒの停止制御時、及び、全回転リール停止後の入賞確認を行うときに参照される。
ステップＳ１２５の処理を実行した後、ＣＰＵ４１は、処理をステップＳ１２６に移す。
【００９０】
ステップＳ１２６において、ＣＰＵ４１は、ＲＡＭ４３に演出開始コマンドをセットする。この演出開始コマンドは、液晶表示装置５への所定の演出画像の表示を開始させるためのコマンドであり、上記抽籤処理により決定された内部当籤役に関するデータを含んでいる。演出開始コマンドは、所定のタイミングで副制御回路８２に供給される。
ステップＳ１２６の処理を実行した後、ＣＰＵ４１は、処理をステップＳ１２８に移す。
【００９１】
ステップＳ１２８において、ＣＰＵ４１は、リール停止信号回路５６からの入力信号の有無により、停止ボタン７（７Ｌ、７Ｃ、７Ｒ）が「オン」であるか否かを判断する（ステップＳ１２８）。停止ボタン７が「オン」ではないと判断した場合、ＣＰＵ４１は、自動停止タイマの値が「０」であるか否かを判断し（ステップＳ１２９）、「０」ではないと判断した場合には、処理をステップＳ１２８に戻す。
【００９２】
一方、ステップＳ１２８において、停止ボタン７が「オン」であると判断した場合、又は、ステップＳ１２９において、自動停止タイマの値が「０」であると判断した場合、ＣＰＵ４１は、停止ボタン７に対応した回転リール３の回転を停止させるのであるが、その際、当籤要求（内部当籤役のこと）、図柄位置（操作時における回転リール３の回転位置）、選択されている停止制御テーブル等から滑りコマ数を決定する（ステップＳ１３０）。
【００９３】
次に、ＣＰＵ４１は、ステップＳ１３０において決定された滑りコマ数分、回転リール３を回転させて停止させる処理を行い（ステップＳ１３１）、一の回転リール３についての停止要求をセットする（ステップＳ１３２）。
【００９４】
次に、ＣＰＵ４１は、３つの回転リール３（３Ｌ、３Ｃ、３Ｒ）の全てが停止したか否かを判断する（ステップＳ１３５）。全ての回転リール３が停止していないと判断した場合、処理をステップＳ１２８に戻す。一方、全ての回転リール３が停止したと判断した場合、ＣＰＵ４１は入賞検索を行う（ステップＳ１３６）。このとき、ＲＯＭ４２に格納された入賞図柄組合せテーブル等が参照されることになる。また、入賞フラグが正常であるか否かを判断し、正常でない場合には、イリーガルエラーの表示を行って処理を中断することとしてもよい。
【００９５】
次に、ＣＰＵ４１は、ＲＡＭ４３に終了演出コマンドをセットする（ステップＳ１３７）。この終了演出コマンドは、遊技結果に応じた遊技終了時の演出画像を表示させるためのコマンドであり、ステップＳ１３６における入賞検索の結果に関するデータを含む。終了演出コマンドは、所定のタイミングで副制御回路８２に供給される。
【００９６】
次に、ＣＰＵ４１は、メダルの払出があるか否か、すなわち、入賞枚数の有無を判断する（ステップＳ１３８）。
メダルの払出があると判断した場合、ＣＰＵ４１は、遊技状態及び入賞役に応じた枚数のメダルの貯留又は払出を行う（ステップＳ１３９）。メダルの貯留を行う場合には、ＣＰＵ４１は、ＲＡＭ４３に記憶されたクレジット数を加算する処理を行う。一方、メダルの払出を行う場合には、ＣＰＵ４１は、払出指令信号をホッパー駆動回路５１に送信してホッパー５０から所定枚数のメダルの払出を行う。その際、メダル検出部５０Ｓは、ホッパー５０から払い出されるメダルの枚数を計数し、その計数値が指定された数に達したときに、メダル払出完了信号がＣＰＵ４１に入力される。これにより、ＣＰＵ４１は、ホッパー駆動回路５１を介してホッパー５０の駆動を停止し、メダルの払出処理を終了する。
【００９７】
次に、ＣＰＵ４１は、ＲＢに入賞したか否かを判断する（ステップＳ１４０）。ＲＢに入賞したと判断すると、ＣＰＵ４１は、ＲＢ設定に係る処理を行う（ステップＳ１４１）。このステップＳ１４１において、ＣＰＵ４１は、ＲＢ用の抽籤確率テーブルや、ＲＢ用の入賞図柄組合せテーブルの設定に係る処理を行う。また、このステップＳ１４１において、ＣＰＵ４１は、ＲＢゲーム入賞回数等の計数を開始し、その計数値を役物作動回数表示部２０に表示させる処理を開始する。ステップＳ１４１の処理を実行した後、ＣＰＵ４１は、処理をステップＳ１４２に移す。
【００９８】
ステップＳ１４２において、ＣＰＵ４１は、ＲＡＭ４３にＲＢ設定コマンドをセットする。ＲＢ設定コマンドは、画面画像としてのＲＢ用の演出画像を液晶表示装置５に表示させるためのコマンドであり、所定のタイミングで副制御回路８２に供給される。
【００９９】
ステップＳ１４０においてＲＢに入賞していないと判断された場合、又は、ステップＳ１４２の処理が実行された場合、ＣＰＵ４１は、ＢＢに入賞したか否かを判断する（ステップＳ１４３）。ＢＢに入賞したと判断すると、ＣＰＵ４１は、ＢＢ設定に係る処理を行う（ステップＳ１４４）。このステップＳ１４４において、ＣＰＵ４１は、ＢＢ用の抽籤確率テーブルや、ＢＢ用の入賞図柄組合せテーブル等の設定に係る処理を行う。また、このステップＳ１４４において、ＣＰＵ４１は、ＢＢゲーム消化回数等の計数や、その計数値の役物動作回数表示部２０への表示や、払い出されたメダルの計数等を開始する。その後、ＣＰＵ４１は、処理をステップＳ１４５へ移す。
【０１００】
ステップＳ１４５において、ＣＰＵ４１は、ＲＡＭ４３にＢＢ設定コマンドをセットする。ＢＢ設定コマンドは、画面画像としてのＢＢ用の演出画像を液晶表示装置５に表示させるためのコマンドであり、所定のタイミングで副制御回路８２に供給される。
【０１０１】
ステップＳ１４３において、ＢＢに入賞していないと判断された場合、又は、ステップＳ１４５の処理を実行した場合、ＣＰＵ４１は、ＲＢが終了したか否かを判断する（ステップＳ１４６）。ＲＢが終了したと判断すると、次に、ＣＰＵ４１は、ＲＢ設定解除に係る処理を行う（ステップＳ１４７）。ステップＳ１４８において、ＣＰＵ４１は、ステップＳ１４１の処理で設定したＲＢ用の抽籤確率テーブルや、ＲＢ用の入賞図柄組合せテーブル等から、通常の遊技状態（ＲＢ又はＢＢ以外）に用いられる抽籤確率テーブルへの設定変更に係る処理を行う。その後、ＣＰＵ４１は、処理をステップＳ１４８へ移す。
【０１０２】
ステップＳ１４８において、ＣＰＵ４１は、ＲＡＭ４３にＲＢ解除コマンドをセットする。ＲＢ解除コマンドは、画面画像としてのＲＢ用の演出画像の表示を停止し、通常（ＲＢ又はＢＢ以外）の演出画像を液晶表示装置５に表示させるためのコマンドである。ＲＢ解除コマンドは、所定のタイミングで副制御回路８２に供給される。
【０１０３】
ステップＳ１４６において、ＲＢが終了したと判断されなかった場合、又は、ステップＳ１４８の処理を実行した場合、ＣＰＵ４１は、ＢＢが終了したか否かを判断する（ステップＳ１４９）。ＢＢが終了したと判断すると、次に、ＣＰＵ４１は、ＢＢ設定解除に係る処理を行う（ステップＳ１５０）。ステップＳ１５０において、ＣＰＵ４１は、ステップＳ１４４の処理で設定したＢＢ用の抽籤テーブルや、ＢＢ用の入賞図柄組合せテーブル等から、通常の遊技状態（ＲＢ又はＢＢ以外）に用いられる抽籤確率テーブルへの設定変更に係る処理を行う。その後、ＣＰＵ４１は、処理をステップＳ１５１へ移す。
【０１０４】
ステップＳ１５１において、ＣＰＵ４１は、ＲＡＭ４３にＢＢ解除コマンドをセットする。ＢＢ解除コマンドは、画面画像としてのＢＢ用の演出画像の表示を停止し、通常（ＲＢ又はＢＢ以外）の演出画像を液晶表示装置５に表示させるためのコマンドである。ＢＢ解除コマンドは、所定のタイミングで副制御回路８２に供給される。
ステップＳ１４９において、ＲＢが終了していないと判断した場合、又は、ステップＳ１５１の処理を実行した場合、本サブルーチンを終了する。
【０１０５】
図９は、副制御回路において行われるコマンド受信処理のサブルーチンを示すフローチャートである。
まず、ステップＳ２００において、サブＣＰＵ２０６は、演出開始コマンドを受信したか否かを判断する。演出開始コマンドを受信していないと判断した場合、処理をステップＳ２１０に移す。
一方、演出開始コマンドを受信したと判断した場合、ステップＳ２０１において、サブＣＰＵ２０６は、プログラムＲＯＭ２０８に記憶された複数種類の演出パターンのなかから、当該コマンドに対応した演出パターンを選択する。
サブＣＰＵ２０６は、ＲＢフラグがセットされている場合には、ＲＢ用の演出パターンを選択する。また、ＢＢフラグがセットされている場合には、ＢＢ用の演出パターンを選択する。次に、ステップＳ２０２において、演出パターンを示すデータである演出パターンデータを表示制御回路２５０に供給する。
ステップＳ２０２の処理を実行した後、ステップＳ２１０に処理を移す。
【０１０６】
ステップＳ２１０において、サブＣＰＵ２０６は、終了演出コマンドを受信したか否かを判断する。終了演出コマンドを受信していないと判断した場合、処理をステップＳ２２０に移す。
一方、終了演出コマンドを受信したと判断した場合、ステップＳ２１１において、サブＣＰＵ２０６は、プログラムＲＯＭ２０８に記憶された複数種類の終了演出パターンのなかから、当該コマンドに対応した終了演出パターンを選択する。
次に、ステップＳ２１２において、終了演出パターンデータを表示制御回路２５０に供給する。ステップＳ２１０の処理を実行した後、処理をステップＳ２２０に移す。
【０１０７】
ステップＳ２２０において、サブＣＰＵ２０６は、ＲＢ設定コマンドを受信したか否かを判断する。ＲＢ設定コマンドを受信していないと判断した場合、処理をステップＳ２３０に移す。一方、ＲＢ設定コマンドを受信したと判断した場合、サブＣＰＵ２０６は、ステップＳ２２１において、ＲＢフラグをセットする。ステップＳ２２１の処理を実行した後、処理をステップＳ２３０に移す。なお、ＲＢフラグは、ＲＢ開始時にセットされ、ＲＢ終了時にクリアされるフラグである。
【０１０８】
ステップＳ２３０において、サブＣＰＵ２０６は、ＢＢ設定コマンドを受信したか否かを判断する。ＢＢ設定コマンドを受信していないと判断した場合、処理をステップＳ２４０に移す。一方、ＢＢ設定コマンドを受信したと判断した場合、サブＣＰＵ２０６は、ステップＳ２３１において、ＢＢフラグをセットする。ステップＳ２３１の処理を実行した後、処理をステップＳ２４０に移す。なお、ＢＢフラグは、ＢＢ開始時にセットされ、ＢＢ終了時にクリアされるフラグである。
【０１０９】
ステップＳ２３０において、ＢＢ設定コマンドを受信していないと判断した場合、又は、ステップＳ２３１の処理を実行した場合、サブＣＰＵ２０６は、ＲＢ解除コマンドを受信したか否かを判断する（ステップＳ２４０）。ＲＢ解除コマンドを受信したと判断した場合、ＲＢフラグをクリアする（ステップＳ２４１）。
【０１１０】
ステップＳ２４０において、ＲＢ解除コマンドを受信していないと判断した場合、又は、ステップＳ２４１の処理を実行した場合、サブＣＰＵ２０６は、ＢＢ解除コマンドを受信したか否かを判断する（ステップＳ２５０）。
ＢＢ解除コマンドを受信していないと判断した場合、本サブルーチンを終了する。一方、ＢＢ解除コマンドを受信したと判断した場合、サブＣＰＵ２０６は、ＢＢフラグをクリアし（ステップＳ２５１）、本サブルーチンを終了する。
【０１１１】
図１０は、副制御回路において実行されるホルダー開閉処理のサブルーチンを示すフローチャートである。このサブルーチンは、図９に示したサブルーチンとは別に所定のタイミングで呼び出されて実行されるサブルーチンである。
【０１１２】
まず、サブＣＰＵ２０６は、ジュースホルダ９２を出現させる旨の指示入力があったか否かを判断する（ステップＳ２７０）。この処理において、サブＣＰＵ２０６は、決定ボタン２６及び取消ボタン２７が操作され、所定の出力信号を受信したか否かを判断する。出現指示入力があったと判断した場合、サブＣＰＵ２０６は、ホルダー駆動装置９６を駆動させてジュースホルダ９２を出現させ（ステップＳ２７１）、ワークＲＡＭ２１０の所定領域にタイマをセットする（ステップＳ２７２）。ステップＳ２７２の処理において、サブＣＰＵ２０６は、１０分をタイマ値としてセットし、その後、カウントダウンを行う。なお、本発明において経過時間の計時方法は、この例に限定されるものではない。この処理の後、ステップＳ２７４に処理を移す。
【０１１３】
一方、出現指示入力がなかったと判断した場合（ステップＳ２７０：ＮＯ）、サブＣＰＵ２０６は、ジュースホルダ９２が出現しているか否かを判断する（ステップＳ２７３）。ジュースホルダ９２が出現していると判断した場合、処理をステップＳ２７４に移す。一方、ジュースホルダ９２が出現していないと判断した場合、本サブルーチンを終了する。
【０１１４】
ステップＳ２７４において、サブＣＰＵ２０６は、遊技に関する操作入力があったか否かを判断する。この処理において、サブＣＰＵ２０６は、演出開始コマンドを主制御回路８１から受信したか否かを判断する。遊技操作入力があったと判断した場合、サブＣＰＵ２０６は、計時中のタイマ値をリセットし（ステップＳ２７５）、処理をステップＳ２７６に移す。一方、遊技操作入力がなかったと判断した場合、処理をステップＳ２７６に移す。
【０１１５】
ステップＳ２７６において、サブＣＰＵ２０６は、ジュースホルダ９２を格納させる旨の指示入力があったか否かを判断する（ステップＳ２７６）。この処理において、サブＣＰＵ２０６は、決定ボタン２６及び取消ボタン２７が操作され、所定の出力信号を受信したか否かを判断する。格納指示入力があったと判断した場合、サブＣＰＵ２０６は、検知スイッチ９３からカップ検知信号を受信したか否かによりジュースホルダ９２に載置されたカップ９９を検知したか否かを判断し（ステップＳ２７７）、カップ９９を検知したと判断した場合、本サブルーチンを終了する。一方、カップ９９を検知していないと判断した場合、処理をステップＳ２８０に移す。ステップＳ２７７の処理を実行するとき、サブＣＰＵ２０６は、検知スイッチ９３から出力されるカップ検知信号に基づいてジュースホルダ９２にカップ９９が載置されているか否かを判断する判断手段として機能する。
【０１１６】
ステップＳ２７６において格納指示入力がなかったと判断した場合、サブＣＰＵ２０６は、タイマ値が０であるか否かを判断する（ステップＳ２７８）。タイマ値が０ではないと判断した場合、本サブルーチンを終了する。一方、タイマ値が０であると判断した場合、処理をステップＳ２７９に移す。
【０１１７】
ステップＳ２７９において、サブＣＰＵ２０６は、ジュースホルダ９２に載置されたカップ９９を検知したか否かを判断する。この処理を実行するとき、サブＣＰＵ２０６は、検知スイッチ９３から出力されるカップ検知信号に基づいてジュースホルダ９２にカップ９９が載置されているか否かを判断する判断手段として機能する。
カップ９９を検知したと判断した場合、通信用インターフェイス回路４４を介して外部（例えば、店舗が所有する管理装置等）に所定の出力信号を出力する（ステップＳ２８２）。この出力信号により、外部では、当該パチスロ遊技装置１において、所定期間遊技が行われておらず且つカップ９９が載置されていることを知ることができる。ステップＳ２８２の処理の後、処理をステップＳ２８１に移す。
【０１１８】
ステップＳ２７７又はステップＳ２７９においてカップ９９を検知しなかった場合、サブＣＰＵ２０６は、ジュースホルダ９２を格納し（ステップＳ２８０）、処理をステップＳ２８１に移す。
【０１１９】
ステップＳ２８１において、サブＣＰＵ２０６は、ワークＲＡＭ２１０のタイマをクリアし、本サブルーチンを終了する。図１０に示したホルダー開閉処理（ステップＳ２７０〜ステップＳ２８１）を実行するとき、サブＣＰＵ２０６は、ジュースホルダ９２を格納部９１から出現させる又は格納部９１に格納させる制御を行う制御手段として機能する。
【０１２０】
図１１は、表示制御回路において行われる表示制御処理のサブルーチンを示すフローチャートである。
ＶＤＰ２１２は、サブＣＰＵ２０６から供給される各種のデータに対応した画面画像を生成する。
ＶＤＰ２１２は、サブＣＰＵ２０６から演出パターンデータの供給を受けていない場合には（ステップＳ３００：ＮＯ）、画像データＲＯＭ２１６からデモ画像を抽出し、バッファに記憶する（ステップＳ３０１）。
【０１２１】
ＶＤＰ２１２は、サブＣＰＵ２０６から演出パターンデータの供給を受けており（ステップＳ３００：ＹＥＳ）、終了演出パターンデータの供給を受けていない場合には（ステップＳ３０４：ＮＯ）、画像データＲＯＭ２１６から演出画像を抽出し、バッファに記憶する（ステップＳ３０５）。
【０１２２】
ＶＤＰ２１２は、サブＣＰＵ２０６から演出パターンデータの供給を受け（ステップＳ３００：ＹＥＳ）、終了演出パターンデータの供給を受けている場合（ステップＳ３０４：ＹＥＳ）、画像データＲＯＭ２１６から、終了時の演出画像を抽出し、バッファに記憶する（ステップＳ３０６）。
【０１２３】
ステップＳ３０１、Ｓ３０５又はＳ３０６の処理を実行した後、ＶＤＰ２１２は、所定のタイミング毎（例えば、１／３０秒毎）に（ステップＳ３０７：ＹＥＳ）、画面画像を液晶表示装置５に出力する（ステップＳ３０８）。
一方、所定のタイミングではない場合には（ステップＳ３０７：ＮＯ）、処理をステップＳ３０７に戻す。
【０１２４】
その後、演出が終了していない場合には（ステップＳ３１０：ＮＯ）、ステップＳ３００に処理を戻す。一方、演出が終了した場合には（ステップＳ３１０：ＹＥＳ）、パターンデータをクリアして（ステップＳ３１１）、処理をステップＳ３００に戻す。
【０１２５】
以上、パチスロ遊技装置１によれば、決定ボタン２６、取消ボタン２７を操作すると、ジュースホルダ９２を格納部９１から出現させる又は格納部９１に格納させることができる。従って、必要に応じて出現させて、カップ９９を載置することができる。
また、スタートレバー６（遊技操作入力手段）から遊技に関する操作入力を最後に受け付けてからの経過時間が所定期間を経過したときに、ジュースホルダ９２が出現している場合には、ジュースホルダ９２を格納部９１に格納させる。このように、遊技が所定期間行われておらず、遊技が終了したと判断され得る場合にジュースホルダ９２を格納部９１に格納させるため、次に遊技を行う遊技者にとって邪魔にならない。また、前の遊技者がジュースホルダ９２を格納していなくとも、所定期間を経過すると格納され、次に遊技を始めようとする遊技者が格納する必要はないため、他人の後始末をさせられているような気分となってしまうこともない。
さらに、所定期間を経過するとジュースホルダ９２が格納されるため、席が確保されていると勘違いすることを防止し、遊技者が遊技の機会を喪失すること、及び、遊技店側の売上を低減させることを防止することができる。
【０１２６】
また、パチスロ遊技装置１によれば、検知スイッチ９３から出力されるカップ検知信号に基づいてジュースホルダ９２にカップ９９が載置されていると判断した場合には、ジュースホルダ９２を格納部９１に格納させない。従って、誤って格納する指示を入力してしまった場合、ジュースホルダ９２が格納されてカップ９９が載置部９１から落下することを防止することができる。また、所定期間が経過した場合であっても、ジュースホルダ９２にカップ９９が載置されていれば載置部９１を格納しないので、飲み残しの飲物等がジュースホルダ９２に放置されていても、ジュースホルダ９２から落下したりこぼれたりすることを防止することができる。
【０１２７】
また、パチスロ遊技装置１によれば、最後に遊技操作入力を受け付けてからの経過時間が所定期間を経過したときに、ジュースホルダ９２にカップ９９が載置されていると判断した場合、載ジュースホルダ９２にカップ９９が載置されていることを示す出力信号を外部（例えば、遊技店に備えられている管理装置）に出力する。このように、外部に出力された出力信号により、例えば、遊技店は、当該パチスロ遊技装置１が空席である可能性が高いことを知ることができ、カップ９９を撤去する等、清掃して次の遊技者が遊技を行うことが可能なように整備することができる。
【０１２８】
本実施形態では、ジュースホルダ９２が筐体２の下方左側に備えられている場合について説明したが、本発明における載置部は、筐体の下方右側に備えられていてもよく、また、複数備えられていてもよい。載置部が複数備えられている構成とした場合、遊技者は、好みの位置の載置部に物品を載置することができる。
【０１２９】
また、本実施形態では、スタートレバー６が本発明における遊技操作入力手段である場合について説明したが、スタートレバー６に限らず、１−ＢＥＴスイッチ１１、最大ＢＥＴスイッチ１３でもよく、遊技者が操作可能なスイッチ、レバー等の入力手段であれば、この例に限定されるものではない。
【０１３０】
また、本実施形態では、決定ボタン２６及び取消ボタン２７により、ジュースホルダ９２の開閉に係る指示を入力する場合について説明したが、本発明における指示入力手段は、これに限定されず、例えば、液晶表示装置にタッチパネルを設け、このタッチパネルを指示入力手段としてもよく、専用のスイッチを設けて指示入力手段としてもよい。
【０１３１】
また、本実施形態では、ジュースホルダ９２が、前後して出現又は格納される場合について説明したが、本発明において、載置部が出現又は格納される態様はこれに限定されず、例えば、載置部が回転することにより、出現又は格納されることとしてもよい。
【０１３２】
本実施形態においては、本発明をパチスロ遊技装置に適用した場合について説明したが、本発明を他の遊技機（例えば、パチンコ遊技装置、スロットマシン等）に適用することも可能である。
【０１３３】
以上、本発明の実施形態を説明したが、具体例を例示したに過ぎず、特に本発明を限定するものではなく、各手段等の具体的構成は、適宜設計変更可能である。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【０１３４】
【図１】本実施形態に係るパチスロ遊技装置の一例を模式的に示す斜視図である。
【図２】図１に示したパチスロ遊技装置が備えるジュースホルダの一例を模式的に示す斜視図である。
【図３】図１に示したパチスロ遊技装置が備える液晶表示装置近傍を示す拡大正面図である。
【図４】図１に示したパチスロ遊技装置が備える液晶表示装置の概略構成を示す斜視図である。
【図５】図４に示した液晶表示装置の一部の構成の展開図である。
【図６】図１に示したパチスロ遊技装置の内部構成を示すブロック図である。
【図７】図６に示した副制御回路の構成を示すブロック図である。
【図８】主制御回路において行われる遊技実行処理のサブルーチンを示すフローチャートである。
【図９】副制御回路において行われるコマンド受信処理のサブルーチンを示すフローチャートである。
【図１０】副制御回路において行われるホルダー開閉処理のサブルーチンを示すフローチャートである。
【図１１】表示制御回路において行われる表示制御処理のサブルーチンを示すフローチャートである。
【符号の説明】
【０１３５】
１  パチスロ遊技装置
２  筐体
３（３Ｌ、３Ｃ、３Ｒ）  回転リール
６  スタートレバー
２６  決定ボタン
２７  取消ボタン
５  液晶表示装置
４１  ＣＰＵ
４２  ＲＯＭ
４３  ＲＡＭ
４４  通信用インターフェイス回路
８２  副制御回路
９１  格納部
９２  ジュースホルダ
９３  検知スイッチ
９４  保持部
９６  ホルダー駆動装置
９９  カップ
２０６  サブＣＰＵ
２０８  プログラムＲＯＭ
２１０  ワークＲＡＭ
【図１】
2007089805.tif 000003
【図２】
2007089805.tif 000004
【図３】
2007089805.tif 000005
【図４】
2007089805.tif 000006
【図５】
2007089805.tif 000007
【図６】
2007089805.tif 000008
【図７】
2007089805.tif 000009
【図８】
2007089805.tif 000010
【図９】
2007089805.tif 000011
【図１０】
2007089805.tif 000012
【図１１】
2007089805.tif 000013